(57)【要約】【課題】  ボール打撃位置の適否を瞬時に感知可能にするものであって、使用方法が極めて簡便なゴルフ練習用具を低コストで提供する。【解決手段】  本発明は、中央部が貫通穴となっている領域を有し、少なくとも一方の面がゴルフクラブヘッドのフェース面に貼着可能なシートであることを特徴とするゴルフ練習用具にかかるものである。貫通穴はフェース面のスイートエリアに略一致しており、これを貼着して打撃した場合、スイートエリアで打撃すれば通常の感触が得られ、スイートエリアを外して打撃した場合はフェースとボールとの間に介在する本発明品ために通常とは異なる手ごたえ、感触、打撃音が得られることにより、使用者は打撃の失敗を瞬時に感知出来る。【選択図】図１
2010252889.tif 000002
【特許請求の範囲】
【請求項１】
中央部が貫通穴となっている領域を有し、少なくとも一方の面がゴルフクラブヘッドのフェース面に貼着可能なシートであることを特徴とするゴルフ練習用具。
【請求項２】
ボールとの接触面側に粘着性を持たせたことを特徴とする請求項１に記載のゴルフ練習用具。
【請求項３】
パター又はウエッジのフェース面に貼着して使用されることを特徴とする請求項１に記載のゴルフ練習用具。
【発明の詳細な説明】
【技術分野】
【０００１】
本発明は、ゴルフクラブのフェース面に貼着して、ボールの打撃位置を瞬時に感知することを可能にするゴルフ練習用具に関する。
【背景技術】
【０００２】
従来、ゴルフクラブのどの位置でボールを打撃したかを知る手段として感圧紙や感熱紙などの打撃位置記録シート（以下「記録シート」と言う。）をゴルフクラブのフェース面に張ったり（例えば、特許文献１、２参照）、打撃跡が残る塗料をフェース面に塗ることが知られており（例えば、特許文献３参照）、更にはボールに塗料を吹き付けておき、ゴルフクラブヘッドに後を残す方法も知られている（例えば、特許文献４参照）。記録シートにゴルフクラブのスイートエリアを表示することで、ゴルファーが結果を容易に評価できるようにする方法も知られている（例えば、特許文献５参照）。これらは、極めて簡便に打撃位置を知ることが出来るため、古くよりゴルフ練習用具として広く使われている。
【０００３】
一方、打球時に発生する音から打撃位置を推測したり、電磁気的な方法や画像から打撃位置を計測するなど、記録シートや塗料を使わずに打撃位置を検出する方法も知られている（例えば、特許文献６参照）。記録シートや塗料を用いる方法はヘッドとボールの間の摩擦に影響を与えるために飛球のスピンなどを確認できないが、音や画像を利用する方法にはそのような影響も無い。
【先行技術文献】
【特許文献】
【０００４】
【特許文献１】実開平６−８１５６８号公報
【特許文献２】特開２００８−１３６６９９号公報
【特許文献３】特開２００２−３０６６５８号公報
【特許文献４】特開平９−２０１４４１号公報
【特許文献５】登実第３０３２５４８号公報
【特許文献６】国際公開ＷＯ２００６／０９０６３８公報
【発明の概要】
【発明が解決しようとする課題】
【０００５】
記録シートや塗料を使う方法はいずれもフェース面上に残った打撃跡を打撃後に見て知る方法であり、打撃した瞬間にはその結果を知ることが出来ない。スポーツ技術・技量の習得には試技の瞬間に成否をフィードバックしながら繰り返し行う練習が有効であるが、記録シート等を用いる方法では試技から成否の確認まで時間がかかり、練習の効果はあまり高くない。
【０００６】
一方前記特許文献６のような方法は、打撃の成否を音や光、音などで瞬時に認知させることが可能であるが、検出・情報処理・出力の装置が必要である。一般のゴルフ練習場にそのような装置を持ち込んで練習することは困難であるし、装置が小型化されたといても、記録シート等を用いる方法に比べれば高価であって誰もが気軽に使用することは難しい。
【０００７】
本発明は、斯かる実情に鑑み、打撃の成否情報を打撃の瞬間に打撃者が知る簡便な手段を提供しようとするものである。
【課題を解決するための手段】
【０００８】
本発明は、中央部が貫通穴となっている領域を有し、少なくとも一方の面がゴルフクラブヘッドのフェース面に貼着可能なシートであることを特徴とするゴルフ練習用具に係るものである。シートのボールと接触する側の面に粘着剤を塗布すると一層効果的である。このシートはあらゆる種類のゴルフクラブにおいて利用可能であるが、特にパターにおいて有効である。ショートアイアンやウエッジなどアプローチショットに用いるクラブにおいても好適である。
【発明の効果】
【０００９】
本発明のゴルフ練習用具によれば、非常に簡便な方法にて、打撃の成否を瞬時に打撃者が知り得るという優れた効果を奏し得る。ゴルファーはこれを使用して繰り返し練習することで、いわゆるスイートスポットでの打撃確率を高めることが出来る。また、そのための練習を手軽に廉価にて行うことが可能である。
【図面の簡単な説明】
【００１０】
【図１】パターに使用される本発明品を示す図であって、フェースへ貼着する前の状態を示す。
【図２】パターに本発明品を貼着した状態を示す図である。
【図３】パターで本発明品を使用している状態であって、成功した打撃を示す。
【図４】パターで本発明品を使用している状態であって、失敗した打撃を示す。
【図５】アイアンに本発明品を貼着した状態を示す図である。
【発明を実施するための形態】
【００１１】
以下、本発明の実施の形態を添付図面を参照して説明する。
【実施例１】
【００１２】
図１は、貼着する前の本発明品１とこれを貼着されるゴルフクラブヘッド２（パターヘッド）である。本発明品１は、ゴルフクラブヘッドのフェース面２１の輪郭に近い形状をしており、略中央部には貫通穴１１が存在する。本発明品１の裏側（ゴルフクラブヘッドのフェース面２１に貼着される側の面）には粘着剤などを予め塗布しておくのが好適である。本発明品の色は特に選ばないが、ゴルフショットの際に視覚的な影響を与えないという点では白、灰色などが好ましい。
【００１３】
図２は本発明品１をゴルフクラブヘッド２（パターヘッド）に貼着した状態である。本発明品１をゴルフクラブヘッドのフェース面２１に貼り付けた場合、貫通穴１１はゴルフクラブヘッドのスイートスポット付近付近を中心としたスイートエリアを露出させる。
【００１４】
なお、スイートスポットとはフェース面２１上の最適な打撃結果を得られる打点を意味し、ゴルフクラブヘッドの重心からフェース面におろした垂線の足にほぼ一致する。スイートエリアとは成功と判断される打撃結果の得られる打点の範囲を意味し、前記スイートスポットを中心にした範囲となる。但し、どの程度の範囲までを成功打撃とするかは、ゴルファーの技術レベルによっても変化するので、初心者用の本発明品の貫通穴１１は大きく、上級者用の本発明品の貫通穴１１は小さくすることも考えられる。
【００１５】
図３と４は本発明品１の使用状態を示す図であって、本発明品１を貼着されたゴルフクラブヘッド２（パターヘッド）によりボールを打撃した瞬間の断面図である。図３は成功打撃、即ちスイートエリアで打撃することに成功した場合である。この場合、ボールは本発明品の貫通穴１１を通じ、ゴルフクラブヘッドのフェース面２１と衝突しているので、本発明品を貼着していない場合と全く同じ手ごたえ、感触、打撃音が得られる。一方、図４は失敗打撃、即ちスイートエリアで打撃することに失敗した場合である。ボールはゴルフクラブヘッドのフェース面２１と直接ではなく、本発明品１を介して打撃されているので、通常とは異なる手ごたえ、感触、打撃音が得られ、打撃者は瞬時に失敗を知ることとなる。なお、これらの図は図２のＡ−Ａ線を含む鉛直な平面における断面を表している。
【００１６】
貫通穴１１は必ずしも予めあいている必要は無く、たとえば貫通穴１１の輪郭にそってミシン目を入れておき、使用の際にこの部分を切り取って貫通穴１１を設けることも可能である。その場合、ミシン目を複数入れておき、技量に応じて使用者が貫通穴１１の大きさを選択可能にすることもできる。
【００１７】
本発明品の表面（失敗打撃の際にボールと接触する側の面）に粘着剤を塗布するのも好適である。粘着剤により失敗打撃の際の感触が大きく変わり、より失敗であることを認識し易くなるからである。
【００１８】
パターに適用される本発明品１の貫通穴１１の直径１５〜２０mm程度が好適である。本発明品の厚さを１.０〜１.２mmとした場合に、最大３mm程度のオフセット打撃までが許容されることとなるからである。なお、前述のとおり貫通穴１１の大きさは使用者の技量等により選択されるべきであって、上記範囲以外を否定するものではない。
【実施例２】
【００１９】
図５はアイアン型のゴルフクラブヘッド２に本発明品１を貼着した図である。スイートエリア近傍は貫通穴１１があるためフェース面２１が露出しており、スコアラインが見える。
【産業上の利用可能性】
【００２０】
本発明は、容易かつ安く製造できるゴルフ練習用具の提供を可能にする。
【符号の説明】
【００２１】
１    本発明品
１１  本発明品の中央部貫通穴
２    ゴルフクラブヘッド
２１  ゴルフクラブヘッドのフェース面
３    ゴルフボール
【図１】
2010252889.tif 000003
【図２】
2010252889.tif 000004
【図３】
2010252889.tif 000005
【図４】
2010252889.tif 000006
【図５】
2010252889.tif 000007